(57)【要約】【課題】  水中で水流を受けた際に複雑な動きを演出でき、魚の興味を強く引き立て得るルアーを提供する。【解決手段】  このルアーのルアー後体２の尾部側端部に於いては、その幅方向両側が後方に延び幅方向中央付近が前方に凹入するような形状に加工されている。そして、このルアー後体２の尾部側端部の凹入した部分の間に幅方向に２本の軸１１が架け渡されており、この２本の軸１１のそれぞれの軸上にその軸方向に移動自在に金属板１０が吊り下げられている。２本の軸はルアー後体２の上下方向及び前後方向に於いて変位した段違いに配置されている。また、２枚の金属板１０は水中で水流を受けた際に相互にその一部が衝突可能である。【選択図】      図６
2005218313.tif 000002
【特許請求の範囲】
【請求項１】
尾部側端部に於いてその幅方向両側が後方（尾部側方向）に延び幅方向中央付近が前方（頭部側方向）に凹入するような形状に加工されているルアー本体と、
前記ルアー本体の尾部側端部の凹入した部分の間に幅方向に架け渡された複数本の軸と、
前記複数本の軸のそれぞれの軸上にその軸方向に移動自在に吊り下げられた複数枚の板材とを備え、
前記複数本の軸は前記ルアー本体の上下方向及び前後方向に於いて変位した段違いに配置されている、ルアー。
【請求項２】
前記複数枚の板材は水中で水流を受けた際に相互にその一部が衝突可能である、請求項１に記載のルアー。
【請求項３】
前記複数本の軸は前記ルアー本体に対して脱着自在である、請求項１または２に記載のルアー。
【請求項４】
前記軸は２本であり、この２本の軸はそれぞれの一端側に於いて連結された一本の線材からなる、請求項３に記載のルアー。
【発明の詳細な説明】
【技術分野】
【０００１】
本発明は魚釣りに用いるルアーに関する。
【背景技術】
【０００２】
魚釣りに際しては様々なルアー（擬餌）が利用されている。多くのルアーは外形を魚に似せて形成されており、その水中での動きに関しても、活きた魚餌の動きに似せて動くように様々な工夫が施されている。このような工夫としては、例えば、外観を魚に似せるべく様々な魚に似せた塗装を施すことや、ルアーの素材を弾性体から形成し滑らかな行動をとり得るようにすること等がある。また、ルアーの素材を硬質プラスチックから形成するプラグ型と呼ばれるルアーにおいても、ルアー本体の後部をゴム材から形成して、ヒレのように滑らかな動きを可能とするもの等も提案されている（特許文献１参照）。さらに、ルアー本体全体を硬質プラスチックから形成するものの、例えば、生き餌のような動きをするようにヒレを形成して、このヒレを水中で動かして魚の興味を引き立てるようにしたルアーなども提案されている（特許文献２参照）。
【０００３】
しかし、これまでに提案されているヒレ付きのルアーは、水流を受けてそのヒレが滑らかに動くことを予定しているものであり、それ自体の動きは単調なものにならざるを得ない。例えば、上述の特許文献２のルアーは、尾ヒレをモータで動かすことを予定しているが、その動きは単調であり、魚に対するアピール度は小さい。
【特許文献１】特開平8-113452号公報
【特許文献２】特開2000-125703号公報
【発明の開示】
【発明が解決しようとする課題】
【０００４】
本発明は、水中で水流を受けた際にさらに複雑な動きを演出でき、魚の興味を強く引き立て得るルアーを提供するものである。
【課題を解決するための手段】
【０００５】
このルアーは、尾部側端部に於いてその幅方向両側が後方（尾部側方向）に延び幅方向中央付近が前方（頭部側方向）に凹入するような形状に加工されているルアー本体と、ルアー本体の尾部側端部の凹入した部分の間に幅方向に架け渡された複数本の軸と、複数本の軸のそれぞれの軸上にその軸方向に移動自在に吊り下げられた複数枚の板材とを備えるものである。そして、この複数本の軸はルアー本体の上下方向及び前後方向に於いて変位した段違いに配置されている。
【０００６】
このルアーは水中に投じられた後に、釣糸を巻き上げ若しくは釣竿を振る等の作業により水中を泳動する。水中で複数枚の板材は水流を受けて抵抗を受け、それ自体が運動しまたルアー本体の動きにも変化を加える。この板材はルアー本体の尾部の凹入した部分に於いて軸上を移動自在であり、水中で軸方向に大きく移動すればルアー本体の凹入した部分の内壁面にも当たり、複数枚それぞれの板材がランダムに音を発生し、また、それぞれ光を反射して複雑に光を反射し、魚の興味を引き立てる。特に、軸の配置位置が相互に変位しており、水中で板材が水流を受ける位置が変化しているので、それぞれの板材の動きは複雑化する。
【０００７】
この複数枚の板材は水中で水流を受けた際に相互にその一部が衝突可能であるようにするのが好ましい。水中で水流を受けて運動する板材が相互に干渉し合うことで、さらに、それぞれの板材の水中での動きは複雑化し、ルアー自体の動きが複雑化する。また、相互に板材が衝突しあい、衝突音を発生し、魚の興味を引き立てることにもなる。
【０００８】
この複数本の軸はルアー本体に対して脱着自在にするのが好ましい。板材が水中で障害物に当たって変形破損した場合に、軸を外して板材を交換可能である。また、必要な数の軸と板材とをルアー本体に装着することで、さらに、状況に応じて、ランダムなルアーの動きを演出可能である。
【０００９】
なお、軸が例えば２本である場合、この軸はそれぞれの一端側に於いて連結された一本の線材から構成してもよい。このような軸を利用することで、軸のルアー本体に対する脱着作業も容易化し、ランダムなルアーの動きを自在に演出可能となる。
【発明の効果】
【００１０】
本発明に係るルアーでは、水中で複数枚の板材がルアーの複雑な動きや光の反射等を可能とし、魚に強くアピールできる。
【発明を実施するための最良の形態】
【００１１】
［第１実施形態］
このルアーは、図１に示すように、外形を魚の頭部乃至腹部に似せて形成したルアー前体１と、ルアー前体１の尾部側に連結された外形を魚の腹部乃至尾部に似せて形成したルアー後体２とからなる。これらのルアー前体１とルアー後体１の周面には、魚の目や鰓，鱗などの模様が描かれている。
【００１２】
ルアー前体１は、左右一対の半割部材を開口面側で貼り合わせて形成される合成樹脂製部材であり、頭部側端部に設けられた釣糸を係止するための釣糸係止部３と、頭部下面に斜め下方に向けて突出したリップ部４と、腹部付近に設けられた釣針を連結するためのアイ５とを有する。この釣糸係止部３及びアイ５は半割部材の開口面の貼り合わせ部分に形成された凹状の窪み等に配置され、半割部材を接着し固定する際に共に固定されている。例えば、アイ５にはスプリットリングなどを介して釣針（図示せず）が連結される。また、リップ部４はルアー前体１の本体と一体的に形成されている。リップ部４は幅方向に広がる板状の部材であり、その先端には金属製の球状の錘６が嵌め込まれて固定されている。
【００１３】
ルアー前体１の後端面は幅方向（左右方向）両側が後方に延び幅方向中央付近が前方に凹入するような形状に加工されている。後述のルアー後体２の前面の一部をこの凹入する部分に挟み込むようにして、ルアー後体２がルアー前体１の後方に連結されることになる。即ち、ルアー前体１の後端面の凹入した最も奥にはアイ（図示せず）等が装着されており、このアイを介してコネクタ７が後方に向かって連結されている。そして、このコネクタ７は後述のルアー後体２の前面に装着されるアイ等に連結される。こうして、ルアー前体１とルアー後体２とは相互に幅方向に変位可能なように連結されている。
【００１４】
なお、必要に応じて、ルアー前体１の内部には錘を収納する。ルアー全体としての錘の量は、ルアー前体１及びルアー後体２とが全体として水面付近にその上半分程度を水上に露出させて漂う程度の浮力を有するように設定する。
【００１５】
図１に示すように、ルアー後体２も、左右一対の半割部材を開口面側で貼り合わせて形成される合成樹脂製の部材である。腹部側に設けられた釣針を連結するためのアイ９を有しており、その構造は上述のルアー前体１と同様である。なお、ルアー後体２の後面もまた、幅方向両側が後方に延び幅方向中央付近が前方に凹入するような形状に加工されている。そして、図２及び図３に示すように、このような凹入した部分の間に幅方向に２つの軸１１が掛け渡されている。また、この軸１１にはそれぞれ金属板１０が吊り下げられている。
【００１６】
２本の軸１１は、それぞれ金属線材であり、ルアー後体２の後端の凹入した部分を貫通してルアー後体２に接着剤などで固定されている。２本の軸１１のうちの一方の軸１１ａと他方の軸１１ｂとは、図２及び図３に示すように、ルアー後体２の凹入した部分の中で、ルアー後体２の上下方向及び前後方向に於いて変位した段違いに配置されている。詳しくは、軸１１ａが上方且つ前方に、軸１１ｂが下方且つ後方に相対的に配置されている。
【００１７】
２枚の金属板１０はそれぞれ略三角型の金属板である。ぞれぞれの金属板１０の端部には穴が形成されており、この穴に上述の軸１１を挿通させて、それぞれの金属板１０ａ，１０ｂがそれぞれの軸１１ａ，１１ｂ上においてその軸方向に移動自在に吊り下げられている。２枚の金属板１０は、相互に上下方向に於いて略対称となるように軸１１に吊り下げられており、軸１１から後方に引き上げると、２枚の金属板１０により魚の尾ヒレの形を描くようになっている（図４など参照）。
【００１８】
さらに、２枚の金属板１０はそれぞれ軸１１上で相互にその一部が干渉しあうように配置されている。即ち、図４に示すように、２枚の金属板１０は軸１１に吊り下げられた状態で軸１１上を移動すると、相互にその一部が当たるようになっている。その吊り下げられた状態如何に関わらず、相互にその一部が当たるようにするのが好ましい。もっとも、図４に示すように、水中での泳動状態に於いて２枚の金属板１０が通常採り得るであろう２枚の金属板１０それぞれの態様に於いて、相互に２枚の金属板１０が軸１１上をスライド移動すると少なくともその一部が当たるようにすれば足りる。
【００１９】
なお、ルアー後体２の上側に配置されている軸１１ａに吊り下げられている金属板１０ａは、その金属板１０ａの軸１１ａ上での吊り下がりの態様如何に関わらず、常にその金属板１０ａの少なくとも一部はルアー後体２の後端の上下方向の中央線より下方に位置するようにするのが好ましい。何故なら、上述のように、このルアーは全体として水面付近に於いて漂うように錘が取り付けられるものであるところ、金属板１０のいずれも少なくともその一部が水流を受け得るように配慮する必要があるからである（図５参照）。
【００２０】
このルアーは釣糸係止部３に釣糸を連結した上で水中に投じられる。そして、釣人が釣糸を巻き上げ若しくは釣竿を振る等のアクションを加えると、このルアーは水中を泳動する。特に、このルアーは水面付近に漂いながら移動することになる。ここで、このルアーのルアー後体２の後端の２枚の金属板１０は、それぞれ水流を受けて尾ヒレのように振る舞う（図５参照）。そして、水の抵抗を受け、それ自体が軸１１上で運動し、またルアー後体２の動きにも変化を加える。さらに、このルアーはルアー前体１とルアー後体２とを連結したものであり、それぞれの部位がそれぞれ水流を受けて柔軟な動きを示す。
【００２１】
具体的には、このルアー後体２の後端の凹入した部分に於いて水流を受けた金属板１０が軸１１上を最も端部まで移動すれば、凹入した部分の内壁面にも当たり、それぞれの金属板１０がランダムに音を発生する。また、相互に金属板１０同士が衝突して音を発生する。また、これらの衝突により金属板１０の軸１１上での動きは変化し、水の抵抗を受ける程度も変化し、ルアー全体の動きが複雑に変化することになる。例えば、図６に示すように、金属板１０ｂが軸１１ｂ上を一端側まで移動する際に、衝突する金属板１０ａをも引き連れて一端側まで移動する場合もある。このような状態で、２枚の金属板１０が同一方向に水の流れを変化させることもあれば、一方の金属板１０ｂはその後自由に軸１１ｂ上を移動し、複雑な水の流れを作り出すこともあり得る。また、例えば、それぞれの金属板は、それぞれの動きの中で光を反射して複雑に光を反射し、魚の興味を引き立てることもできる。特に、２本の軸１１ａ，１１ｂの配置位置が相互に変位しており、水中で金属板１０が水流を受ける位置が変化しているので、それぞれの金属板１０ａ、１０ｂの動きはさらに複雑化している。
【００２２】
［第２実施形態］
図７〜９に、本発明の変形例を示す。このルアーも、ルアー前体，ルアー後体等の構造は同様である。即ち、ルアー後体２の後端は幅方向中央が凹入している。
【００２３】
このルアー後体２の後端の凹入した部分の間に幅方向にも２つの軸２１が掛け渡されている。また、この軸２１にはそれぞれ金属板２０が吊り下げられている。もっとも、この軸２１は、図７及び図８に示すように、一本の金属線材からなる。即ち、ルアー後体２の凹入した部分の幅方向左右両端の後方に延びている部分には軸２１が貫通する孔がそれぞれ２カ所に形成されており、一本の金属線材を略Uの字型に折り曲げて形成した軸２１を用意し、この孔にはめ込んでいる。図９に示すように、軸２１を構成する一本の金属線材の両端には孔が形成されており、ここに抜け止めピン２２が装着されている。抜け止めピン２２は周知のものが利用可能であり、スプリットリング等も利用できる。もしくは、この実施形態に代えて、軸２１を構成する一本の金属線材の端部に特に孔を形成することなくキャップ等を嵌めるようにしてもよい。いずれにせよ、このような抜け止めピン２２を軸２１を構成する一本の金属線材の端部に脱着することで、軸２１はルアー後体２に対して脱着自在となっている。
【００２４】
軸２１のその他の構造は上記実施形態に準じる。即ち、ルアー後体２の後端の凹入した部分を幅方向に貫通している軸２１の２つの部位は、それぞれ、ルアー後体２の凹入した部分の中で、ルアー後体２の上下方向及び前後方向に於いて変位した段違いに配置されている。そして、この２つの部位には、２枚の金属板２０が吊り下げられている。
【００２５】
このような構造のルアーでも上記第１実施形態と同様の動きを水中で演出できる。また、必要に応じて、抜け止めピン２２を軸２１から取り外し、軸２１をルアー後体２から外して、金属板２０を軸２１から取り外すこともできる。状況に応じて、金属板２０を交換することも可能である。
【００２６】
［他の実施形態］
（ａ）上述の各実施形態においては金属板を利用しているが、金属製のものに限定されるものではなく、硬質合成樹脂などの板材を利用することもできる。また、その形状も上記実施形態では特に魚の尾ヒレに似せているが、このような形状に限定されない。
（ｂ）上述の実施形態においては金属板の数を２枚ほど利用した場合を例示している。しかし、その利用枚数は任意に設定可能である。軸の本数を増やし、それぞれの軸に金属板を吊り下げ得る。また、１つの軸上に複数枚の金属板を吊り下げても良い。例えば、軸の本数を２本とし、それぞれの軸に２枚ずつ金属板を吊り下げても良い。また、板材の素材を異にしてもよい。
（ｃ）なお、上述の各実施形態では、ルアー本体は２つのパーツを連結したいわゆるジョイントプラグと呼ばれるタイプのものを例示しているが、このようなタイプのルアーに限定されるものではない。
（ｄ）さらに、上記第２実施形態において示した一本の金属線材からなる軸を以下のようなものとしても良い。
【００２７】
図１０及び図１１に示すように、このルアー後体２の後端の凹入した部分の間に幅方向にも２つの軸３１が掛け渡されている。そして、この軸３１にはそれぞれ上記実施形態のように金属板が吊り下げられている。
【００２８】
ルアー後体２の凹入した部分の幅方向左右両端の後方に延びている部分には軸３１が貫通する孔がそれぞれ２カ所に形成されており、一本の金属線材を略Uの字型に折り曲げて形成した軸３１を用意し、この孔にはめ込んでいる。一本の金属線材の両端は略直角方向に折り曲げられて抜け止めとなっており、ルアー後体２の孔はこの抜け止め部分が挿通可能な程度の大きさとする。軸３１はそれ自体が一定の弾性を有し、たとえば、超弾性を有する形状記憶合金等からなる。そして、２つの略並行に並んだ部分がそれぞれ離反する方向に付勢力を有する。そして、図１０に示すように、付勢力に反して２つの略並行に並んだ部分を近接させて、上述のルアー後体２の孔に挿入した後、抜け止めによりルアー後体２に固定される。
【図面の簡単な説明】
【００２９】
【図１】本発明の第１実施形態に係るルアーを示した図。
【図２】図１のルアーのルアー後体２の後方視図。
【図３】図１のルアーのルアー後体２の上方視図。
【図４】図１のルアーの金属板１０の配置を示した図。
【図５】図１のルアーの金属板１０の水中での様子を示した図。
【図６】図１のルアーの泳動状態の１つを示した参考図。
【図７】本発明の第２実施形態に係るルアーのルアー後体２の後部の側方視図。
【図８】図７のルアーのルアー後体２の上方視図。
【図９】図７のルアーの軸２１を示した図。
【図１０】本発明の他の実施形態に係る軸３１を示した図。
【図１１】図１０の軸３１の取り付けの様子を示した図。
【符号の説明】
【００３０】
１  ルアー前体
２  ルアー後体
１０，２０  金属板
１１，２１  軸
２２  抜け止めピン
【図１】
2005218313.tif 000003
【図２】
2005218313.tif 000004
【図３】
2005218313.tif 000005
【図４】
2005218313.tif 000006
【図５】
2005218313.tif 000007
【図６】
2005218313.tif 000008
【図７】
2005218313.tif 000009
【図８】
2005218313.tif 000010
【図９】
2005218313.tif 000011
【図１０】
2005218313.tif 000012
【図１１】
2005218313.tif 000013